(57)【要約】【課題】本発明は各種音響機器に使用されるスピーカに関するものであり、高域限界周波数領域におけるピークディップの発生や中高音域の音質劣化を抑えた優れたスピーカの提供を可能とするものである。【解決手段】本発明のスピーカは、ボイスコイル６を有し、これに振動板８を結合したスピーカにおいて、センターキャップ９の下端部を前記振動板８に当接させた状態で結合するものであり、スピーカ駆動時の振動板８とセンターキャップ９の位相のズレを抑制して高域限界周波数領域におけるピークディップの発生や中高音域の音質劣化を抑えたスピーカの提供を可能とするものである。【選択図】図１
2005269064.tif 000002
【特許請求の範囲】
【請求項１】
磁気回路と、この磁気回路と接合されたフレームと、前記磁気回路の磁気ギャップに挿入されるボイスコイルと、内周が前記ボイスコイルに結合され、外周が前記フレームに結合されるダンパーと、内周が前記ボイスコイルに結合され、外周が前記フレームに直接または間接的に結合される振動板と、上記ボイスコイル上に結合されるセンターキャップとで結合されるスピーカであって、前記センターキャップは外周に略垂直に延びた円筒部を有すると共に、この円筒部の内径を上記ボイスコイルの少なくとも上端外径と嵌合する径に設定し、更にこの円筒端部を前記振動板と当接結合させているスピーカ。
【請求項２】
円筒端部がその中間より外周方向に曲げられた曲げ部を有する請求項１に記載のスピーカ。
【請求項３】
略垂直に延びた円筒部と曲げ部の相対角度が６０°以下である請求項１に記載のスピーカ。
【請求項４】
曲げ部の断面が円弧状である請求項１に記載のスピーカ。
【発明の詳細な説明】
【技術分野】
【０００１】
本発明は、各種音響機器に使用されるスピーカの品質向上に関するものである。
【背景技術】
【０００２】
従来のスピーカについて、図３（ａ）〜図４により説明する。
【０００３】
図３（ａ）は従来のスピーカの断面図であり、図３（ｂ）は同要部であるボイスコイルと振動板とセンターキャップの接合状態を説明するためのＢ部拡大図であり、図４は同ボイスコイルと振動板の接合状態を説明する他の従来技術の断面図である。
【０００４】
同図によると、１１は磁気回路であり、ヨーク１４の底面中央にマグネット１３とプレート１２を接着結合して構成されている。
【０００５】
１５は底面に前記磁気回路１１を接着結合したフレームであり、樹脂成型や金属薄板のプレス成型によって形成されるものである。
【０００６】
１６はボイスコイルボビンの下方にマグネットワイヤーを巻回してコイル部を形成したボイスコイルであり、前記磁気回路１１の磁気ギャップ１１ａに嵌めこまれている。
【０００７】
１７はダンパーであり、内周を前記ボイスコイル１６に接着結合するとともに、外周を前記フレーム１５に接着結合することで、前記ボイスコイル１６を上下動可能に支持するものである。
【０００８】
１８は内周を前記ボイスコイル１６に接着結合するとともに、外周をエッジ部１８ａを介して前記フレーム１５に接着結合した振動板である。
【０００９】
１９はセンターキャップであり、前記ボイスコイル１６の上端を覆うように接着剤２０により、振動板１８とボイスコイル１６とセンターキャップ１９の円筒下端部１９ａを接着結合するものである。
【００１０】
また、図４は他の従来技術のスピーカの要部である振動板とボイスコイルとセンターキャップの接合状態を示す断面図であり、同図によると、２１は振動板であり、２２はボイスコイルボビン下方にコイルを巻回してコイル部２３を形成したボイスコイルであり、２４は前記ボイスコイル２２の内周側に接着固定されたセンターキャップである。このような構成の先行技術文献情報としては、例えば、特許文献１が知られている。
【特許文献１】実開昭５８-２８４９６号公報（全文）
【発明の開示】
【発明が解決しようとする課題】
【００１１】
上述のような従来のスピーカにおいては、近年の音響機器の高音質化の傾向の中で高域においてはセンターキャップ１９、２４と振動板１８、２１間のスピーカ駆動時の位相によって、高域の限界周波数の領域でピーク、ディップが発生したり、中高域の音質劣化が認められるようになってきている。
【００１２】
なお、このような現象の対策としてはセンターキャップの外周を大きくしてセンターキャップ１９と振動板１８を直接接続すれば位相のズレを防止できるのであるが、高域限界周波数が低下したり、センターキャップとボイスコイルの嵌合が緩くなって、最適位置での固定が煩雑となると言う課題を持つものとなっていた。
【００１３】
本発明は以上のような課題を解決して小型で高音質の優れたスピーカを提供するものである。
【課題を解決するための手段】
【００１４】
上記課題を解決するために、本発明のスピーカは、磁気回路と、この磁気回路と接合されたフレームと、前記磁気回路の磁気ギャップに挿入されるボイスコイルと、内周が前記ボイスコイルに結合され、外周が前記フレームに結合されるダンパーと、内周が前記ボイスコイルに結合され、外周が前記フレームに結合される振動板と、上記ボイスコイル上に結合されるセンターキャップとで結合されるスピーカであって、前記センターキャップは外周に略垂直に延びた円筒部を有すると共に、この円筒端部を前記振動板と当接結合させたものであり、略垂直に延びた円筒部の円筒端部を振動板に当接させて接着剤等により結合固着したものであるため、接着剤の影響を受けることが少なく、センターキャップと振動板間の位相のズレを抑制して、高域限界周波数領域におけるピークディップの発生や中高音域の音質劣化を抑えたスピーカの提供を可能とするものである。
【発明の効果】
【００１５】
以上のように、本発明のスピーカはセンターキャップと振動板を当接させて結合させたため、スピーカ駆動中に両者間の位相のズレが抑制され、高域限界周波数領域におけるピークディップの発生や中高音域の音質劣化を抑えた優れたスピーカの提供を可能としたものであり、その工業的価値は非常に大なるものである。
【発明を実施するための最良の形態】
【００１６】
以下、本発明の実施の形態を図１（ａ）〜図２（ｂ）により説明する。
【００１７】
（実施の形態１）
図１（ａ）は本発明のスピーカの一実施形態の側断面図であり、図１（ｂ）は要部であるボイスコイルと振動板とセンターキャップの接合部分のＡ部拡大図である。特に、請求項１および請求項２および請求項３に記載の発明について説明するものである。
【００１８】
同図によると、１は磁気回路であり、ヨーク４の底面中央にマグネット３とプレート２を接着結合して構成されている。
【００１９】
５は底面に前記磁気回路１を接着結合したフレームであり、樹脂成型や金属薄板のプレス成型によって形成されるものである。
【００２０】
６はボイスコイルボビンの下方にマグネットワイヤーを巻回してコイル部６ａを形成したボイスコイルであり、前記磁気回路１の磁気ギャップ１ａに嵌めこまれている。
【００２１】
７はダンパーであり、内周を前記ボイスコイル６に接着結合するとともに、外周を前記フレーム５に接着結合することで、前記ボイスコイル６を上下動可能に支持するものである。
【００２２】
８は内周を前記ボイスコイル６に接着結合するとともに、外周に形成されたエッジ部８ａを介して前記フレーム５に接着結合した振動板である。
【００２３】
９はセンターキャップであり、このセンターキャップ９の略垂直に延びた円筒部分の内径はボイスコイル６の上端外径と嵌合する寸法に設定され、嵌合時にセンターキャップ９のセンタリングが行われるとともに、円筒部分の高さ寸法は振動板８との結合時に押し上げられることのない寸法に適宜設定され、前記ボイスコイル６の上端を覆うように接着剤１０により、振動板８とボイスコイル６とセンターキャップ９の円筒下端部９ａを接着結合するものである。
【００２４】
なお、センターキャップ９の円筒下端部９ａは外方に角度をもって曲げられており、その先端は振動板８に当接させた状態で接着剤１０により振動板８とセンターキャップ９とボイスコイル６は結合固着されている。
【００２５】
以上のように、上記実施の形態では振動板８にセンターキャップ９を当接した状態でボイスコイル６に結合固着されているため、接着剤１０を介在した結合でないため振動板８とセンターキャップ９間の位相のズレが抑制され、高域限界周波数領域におけるピークディップの発生や中高音域の音質劣化を抑制できるものである。
【００２６】
なお、上記実施の形態においては振動板８とセンターキャップ９とボイスコイル６を一体に接着固着したが、少なくともセンターキャップ９の円筒下端部９ａと振動板８を当接させた状態で接着結合すれば本実施形態の効果は得られるが、ボイスコイル６も同時に接着結合することでスピーカ組み立ての作業性の効率化を図ることができるものである。
【００２７】
また、上記実施の形態ではセンターキャップ９の円筒下端部９ａを外方に曲げ広げた構成として説明したが、図１（ｂ）に示すように、振動板８とボイスコイル６間に接着剤１０が介在するため、振動板８への当接が確実に行われるためにセンターキャップ９の円筒下端部９ａを若干の外方に曲げ広げた構成としたものであり、確実に当接されるならばセンターキャップ９の円筒下端部９ａはストレートであっても良いものである。
【００２８】
なお、上記実施形態におけるセンターキャップ９の円筒下端部の外方への曲げ角度Ａはボイスコイル６との相対角度として６０°以下であることが確認された。
【００２９】
６０°を超えるとセンターキャップ９の曲げ剛性を低下させ、周波数特性を乱す原因となる。より望ましくは４５°以下と設定することで曲げ剛性の低下による周波数特性の影響を避けることができる。
【００３０】
（実施の形態２）
図２（ａ）は本発明のスピーカの他の実施形態の側断面図であり、図２（ｂ）は要部であるボイスコイルと振動板とセンターキャップの接合部分のＡ部拡大図であり、特に請求項４について説明するものである。
【００３１】
同図により実施の形態１との相違点のみ説明すると、相違点はセンターキャップ９の下端部であり、本実施の形態における下端部は外方への円弧状の曲げ部９ｂとして形成されたものである。この円弧状の曲げ部９ｂによって円筒下端部の上部の垂直部９ｃと曲げ部９ｂとの間に集中した変化点が存在しないため振動位相のズレがさらに改善され、高い高域限界周波数と滑らかな周波数特性で高音質のスピーカの提供を可能とするものである。
【産業上の利用可能性】
【００３２】
本発明にかかるスピーカは、高域特性に優れた高音質を提供するものであり、単なる映像・音響機器に搭載されるのみならず、車室内の高音質化を目指す車載用映像・音響機器などの広い用途に使用されるものである。
【図面の簡単な説明】
【００３３】
【図１】（ａ）本発明の一実施の形態におけるスピーカの側断面図、（ｂ）同要部である振動板とセンターキャップとボイスコイルの結合状態を説明するためのＡ部拡大図
【図２】（ａ）同他の実施の形態のスピーカの側断面図、（ｂ）同要部である振動板とセンターキャップとボイスコイルの結合状態を説明するためのＡ部拡大図
【図３】（ａ）従来のスピーカの側断面図、（ｂ）同要部である振動板とセンターキャップとボイスコイルの結合状態を説明するためのＢ部拡大図
【図４】同他の従来技術におけるスピーカの要部である振動板とボイスコイルとセンターキャップの斜視断面図
【符号の説明】
【００３４】
１  磁気回路
２  プレート
３  マグネット
４  ヨーク
５  フレーム
６  ボイスコイル
７  ダンパー
８  振動板
９  センターキャップ
９ａ  下端部
９ｂ  曲げ部
９ｃ  垂直部
【図１】
2005269064.tif 000003
【図２】
2005269064.tif 000004
【図３】
2005269064.tif 000005
【図４】
2005269064.tif 000006